(57)【要約】      （修正有）【課題】除塵フィルターに付着した塵埃を効率的に除去して、吸込力が低下しにくい電気掃除機を提供する。【解決手段】塵埃を含む空気より前記塵埃を分離する除塵フィルター２７を有した略円筒形状の塵埃分離部と、除塵フィルター２７より上方の塵埃分離部に設けられた吸引口６と、塵埃分離部の下方に配置され塵埃を捕集する塵埃収容部とで構成された集塵ケースと、集塵ケースより下流に設けられた電動送風機とを備え、吸引口６から導入した空気を旋回気流として流す旋回気流通風路を除塵フィルター２７及び塵埃分離部で構成し、除塵フィルター２７の外周に電動送風機の吸引力が作用する空間を設け、除塵フィルター２７の通気孔を通して第２の空気流を旋回気流通風路内に導く２次気流導入路６６を除塵フィルター２７の下流側面に部分的に設けている。【選択図】図５
2011050620.tif 000002
【特許請求の範囲】
【請求項１】
塵埃を含む空気より前記塵埃を分離する除塵フィルターを有した略円筒形状の塵埃分離部と、前記除塵フィルターより上方の塵埃分離部に設けられた吸引口と、前記塵埃分離部の下方に配置され前記塵埃を捕集する塵埃収容部とで構成された集塵ケースと、前記集塵ケースより下流に設けられた電動送風機とを備え、前記吸引口から導入した塵埃を含む空気を旋回気流として流す旋回気流通風路を前記除塵フィルター及び前記塵埃分離部で構成し、前記除塵フィルターの外周に前記電動送風機の吸引力が作用する空間を設けた電気掃除機において、前記除塵フィルターの通気孔を通して前記旋回気流通風路内に第２の空気流を導く２次気流導入路を前記除塵フィルターの下流側面に部分的に設けたことを特徴とする電気掃除機。
【請求項２】
２次気流導入路を構成するバイパス管を、塵埃分離部の上部に設けた外気導入口に連通した請求項１記載の電気掃除機。
【請求項３】
２次気流導入路を構成するバイパス管を、塵埃分離部の吸引口付近に設けた分岐導入口に連通した請求項１記載の電気掃除機。
【請求項４】
２次気流導入路を、旋回する気流に対して略垂直方向となるようにフィルター面に連結した請求項１〜３のいずれか１項記載の電気掃除機。
【請求項５】
２次気流導入路は、除塵フィルターの周方向を等分割した位置に配列した請求項１〜４記載のいずれか１項記載の電気掃除機。
【請求項６】
２次気流導入路は、旋回気流通風路内で舞上り気流が前記塵埃収容部から前記旋回気流風路との境界を通過する付近に連通させた請求項１〜３のいずれか１項記載の電気掃除機。
【請求項７】
塵埃を含む空気より前記塵埃を分離する除塵フィルターを有した略円筒形状の塵埃分離部と、前記除塵フィルターより上方の塵埃分離部に設けられた吸引口と、前記塵埃分離部の下方に配置され前記塵埃を捕集する塵埃収容部とで構成された集塵ケースと、前記集塵ケースより下流に設けられた電動送風機とを備え、前記吸引口から導入した塵埃を含む空気を旋回気流として流す旋回気流通風路を前記除塵フィルター及び前記塵埃分離部で構成し、前記除塵フィルターの外周に前記電動送風機の吸引力が作用する空間を設けた電気掃除機において、前記塵埃分離部の上面に設けた２次気流導入ノズルは、外部から前記塵埃分離部内に導入した２次気流を前記除塵フィルターの上流側のフィルター面に沿って略下方に噴出することを特徴とした電気掃除機。
【請求項８】
２次気流導入ノズルは、旋回気流通風路内で舞上り気流が塵埃収容部から塵埃分離部との境界を通過する付近直上に配置したことを特徴とした請求項７記載の電気掃除機。
【発明の詳細な説明】
【技術分野】
【０００１】
本発明は、塵埃を分離する除塵フィルターを有する電気掃除機に関するものである。
【背景技術】
【０００２】
近年、いわゆるサイクロン型の電気掃除機が注目を浴びている。この種の電気掃除機は、集塵ケース内に旋回気流を発生させて、旋回気流の遠心力により、吸引した空気流から塵埃を分離し、分離した塵埃を集塵ケース内に堆積させる構成であり、集塵ケースと電動送風機との連通箇所には除塵フィルターが設けられている（例えば、特許文献１参照）。
【０００３】
また従来例２として、集塵ケースの吸引口付近で旋回気流を発生させ、その下流に塵埃を集塵する塵埃収容部を構成しており、その塵埃収容部はフィルター介して電動送風機と連通させた構成としたものがある（例えば、特許文献２参照）。
【先行技術文献】
【特許文献】
【０００４】
【特許文献１】特開２００３−８８４８５号公報
【特許文献２】特開２００６−３４６０９９号公報
【発明の概要】
【発明が解決しようとする課題】
【０００５】
しかしながら、上述した従来例１では、集塵ケースの内周接線方向に流入させる吸引口と集塵ケース内の中央付近に配置した除塵フィルターとを有した排気筒によって、集塵ケースにサイクロン気流を発生させ、サイクロン気流の遠心力で塵埃を分離し、集塵ケース内に塵埃を堆積させるようにしている。この場合、旋回する空気流を中央に配置した排気筒まで至る流路ロスが大きくなり、そのため吸込み仕事率を高く設定することができないという課題がある。
【０００６】
一方、従来例２では、旋回気流発生部とは別に塵埃収容部分で吸引排気をしているため、従来例１と比べ吸込み仕事率を高位にすることができるが、さらに高い吸込み仕事率を確保しようとすると、旋回気流発生側の吸引圧力よりも塵埃収容部側に加わる吸引圧力を高めることが必要になる。その場合、塵埃収容部のフィルター表面に塵埃が吸着することで、塵埃収容部の圧力損失が高まり、旋回気流発生部での吸引圧力が残るため、吸引力の大幅な低下を抑えることはできるものの、高い吸い込み力を維持することは困難にとなってしまう。
【０００７】
本発明は、前記従来の課題を解決するもので、高い吸込仕事率を確保しながら、かつ塵埃を吸引しても吸込力が低下しにくい電気掃除機を提供する。
【課題を解決するための手段】
【０００８】
上記目的を達成するために、本発明の電気掃除機は、塵埃を含む空気より前記塵埃を分離する除塵フィルターを有した略円筒形状の塵埃分離部と、前記除塵フィルターより上方の塵埃分離部に設けられた吸引口と、前記塵埃分離部の下方に配置され前記塵埃を捕集する塵埃収容部とで構成された集塵ケースと、前記集塵ケースより下流に設けられた電動送風機とを備え、前記吸引口から導入した塵埃を含む空気を旋回気流として流す旋回気流通風路を前記除塵フィルター及び前記塵埃分離部で構成し、前記除塵フィルターの外周に前記電動送風機の吸引力が作用する空間を設けた電気掃除機において、前記除塵フィルターの通気孔を通して前記旋回気流通風路内に第２の空気流を導く２次気流導入路を前記除塵
フィルターの下流側面に部分的に設けたものである。
【０００９】
このような発明によって、吸込口より流入する塵埃を含む空気は、塵埃分離部内に流入した際に旋回気流となり、綿ゴミや毛髪などの粗塵は除塵フィルター内を旋回しながら下降し、塵埃収容部に導かれる。さらに、濾過フィルター内の円筒中空部では旋回気流に対して濾過フィルター面より塵埃分離部の中心に向けた２次気流を部分的に衝突させることで、塵埃が濾過フィルター表面へ付着することを抑制でき、濾過フィルターの通気性を確保することができる。
【００１０】
つまり、塵埃を吸引しても塵埃は塵埃収容部に堆積し、吸引口から電動送風機に至る吸引経路は濾過フィルターの周囲にわたって確保される。そのため、風量低下を招くことなく、風量を長時間維持し、メンテナンスが長期間不要な電気掃除機を提供することができる。
【００１１】
また、本発明の電気掃除機では吸引口から電動送風機に至る風路において、急激な気流の曲げや拡大、縮小を繰り返すことなく風路から塵埃を分離するため、高い吸込み仕事率を長期間にわたって確保することができる。
【００１２】
従って、本発明の電気掃除機は、高い吸込仕事率を確保しながら、かつ塵埃を吸引しても吸込力が低下しにくい電気掃除機を提供することができる。
【発明の効果】
【００１３】
本発明の電気掃除機は、高い吸込仕事率を確保しながら、かつ塵埃を吸引しても吸込力が低下しにくく、高い吸引力を長時間維持する電気掃除機を提供することができる。
【図面の簡単な説明】
【００１４】
【図１】本発明の実施の形態１における電気掃除機の全体構成図
【図２】同電気掃除機の本体要部の構成を示す断面図
【図３】（ａ）同実施の形態１の集塵ケースの正断面図、（ｂ）同集塵ケースの側断面図、（ｃ）（ｂ）のＡ−Ａ断面図、（ｄ）（ｂ）のＢ−Ｂ断面図
【図４】同実施の形態１の第２の濾過フィルターの要部断面図
【図５】（ａ）同実施の形態１の配置構成を示す上方矢視図、（ｂ）（ａ）のＡ−Ａ断面図
【図６】（ａ）同実施の形態１における電気掃除機の集塵ケースにおける吸引口付近の気流を示す平断面図、（ｂ）同集塵ケースにおける濾過フィルター付近の気流の流れを示す平断面図、（ｃ）同集塵ケースにおける縦方向の気流の流れを示す縦断面図
【図７】図５（ｂ）Ｂ−Ｂ断面における気流の流れを示すＢ−Ｂ断面図
【図８】同実施の形態１の動作原理を説明するための要部斜視図
【図９】（ａ）実施の形態２の集塵ケースの構成を示す上方矢視図、（ｂ）（ａ）のＡ−Ａ断面図
【図１０】図９（ｂ）におけるＢ−Ｂ断面図
【図１１】実施の形態３おける集塵ケースの断面図
【図１２】同集塵ケースの旋回気流の状態を示す模式化した要部斜視図
【図１３】実施の形態４における集塵ケースの旋回気流の状態を示す模式化した要部斜視図
【発明を実施するための形態】
【００１５】
第１の発明は、塵埃を含む空気より前記塵埃を分離する濾過フィルターを有した略円筒形状の塵埃分離部と、前記濾過フィルターより上方の塵埃分離部に設けられた吸引口と、前記塵埃分離部の下方に配置され前記塵埃を捕集する塵埃収容部とで構成された集塵ケー
スと、前記集塵ケースより下流に設けられた電動送風機とを備え、前記吸引口から導入した塵埃を含む空気を旋回気流として流す旋回気流通風路を前記濾過フィルター及び前記塵埃分離部で構成し、前記濾過フィルターの外周に前記電動送風機の吸引力が作用する空間を設けた電気掃除機において、前記濾過フィルターの通気孔を通して前記旋回気流通風路内に第２の空気流を導く２次気流導入路を前記濾過フィルターの下流側面に部分的に設けたことを特徴とする電気掃除機である。
【００１６】
これにより、旋回気流通風路内を旋回する気流に掛かっている旋回方向の力と、濾過フィルター面方向の力とに対して、２次気流が濾過フィルター面方向の力に抗する作用が働き、濾過フィルター面に塵埃が付着することを抑制することになり、その結果、濾過フィルターの目詰まりで吸引力が低下するという不具合を解消することができる。
【００１７】
第２の発明は、特に第１の発明の２次気流導入路を構成するバイパス管を、塵埃分離部の上部に設けた外気導入口に連通したことにより、旋回気流風路内に２次気流を導入して、第１の濾過フィルター表面への塵埃吸着を防止することができる。
【００１８】
第３の発明は、特に第１の発明の２次気流導入路を構成するバイパス管を、塵埃分離部の吸引口付近に設けた分岐導入口に連通したことにより、吸込み仕事率の低下を抑えて２次気流を旋回気流風路内に導入して、第１の濾過フィルター表面への塵埃吸着を防止することができる。
【００１９】
第４の発明は、特に第１〜第３のいずれか１つの発明の２次気流導入路を、旋回する気流に対して略垂直方向となるようにフィルター面に連結したことにより、濾過フィルター表面に沿って旋回する気流が、２次気流を横切らせることができる。
【００２０】
第５の発明は、特に特に第１〜第３のいずれか１つの発明において、２次気流導入路は、濾過フィルターの周方向を等分割した位置に配列することにより、上方より塵埃収容室に向かって斜め下方に旋回する流入気流と、塵埃収容室から旋回気流風路内に向かって斜め上方に旋回する舞上り気流を、２次気流噴出分を横切らせることができる。
【００２１】
第６の発明は、特に第１〜第５のいずれか１つの発明において、２次気流導入路は、旋回気流通風路内で舞上り気流が塵埃収容部から前記旋回気流風路との境界を通過する付近に連通させることにより、塵埃が塵埃収容部から旋回気流風路内へ流れる舞上り気流に乗って舞上るのを抑制することができる。
【００２２】
第７の発明は、塵埃を含む空気より前記塵埃を分離する濾過フィルターを有した略円筒形状の塵埃分離部と、前記濾過フィルターより上方の塵埃分離部に設けられた吸引口と、前記塵埃分離部の下方に配置され前記塵埃を捕集する塵埃収容部とで構成された集塵ケースと、前記集塵ケースより下流に設けられた電動送風機とを備え、前記吸引口から導入した塵埃を含む空気を旋回気流として流す旋回気流通風路を前記濾過フィルター及び前記塵埃分離部で構成し、前記濾過フィルターの外周に前記電動送風機の吸引力が作用する空間を設けた電気掃除機において、前記塵埃分離部の上面に設けた２次気流導入ノズルは、外部から前記塵埃分離部内に導入した２次気流を前記濾過フィルターの上流側のフィルター面に沿って略下方に噴出することを特徴とした電気掃除機である。
【００２３】
これにより、塵埃収容部から旋回気流風路内へ塵埃が舞上り気流に乗って舞上がろうとするのを下向きに抗する作用が加わるため、旋回気流風路内への塵埃の舞上りを抑制することができる。
【００２４】
第８の発明は、特に特に第７の発明の２次気流導入ノズルを、旋回気流通風路内で舞上
り気流が塵埃収容部から塵埃分離部との境界を通過する付近直上に配置したことにより、塵埃が舞上り気流に乗って舞上がろうとするのを下向きに抗する作用が加わるため、旋回気流風路内への塵埃の舞上りを抑制することができる。
【００２５】
以下、本発明の実施の形態について、図面を参照しながら説明する。なお、本実施の形態によって本発明が限定されるものではない。
【００２６】
（実施の形態１）
図１は本発明の実施の形態１における電気掃除機の全体構成を示す全体構成図、図２は同電気掃除機の本体の断面構造を示す断面図、図３は同電気掃除機の集塵ケースの構造を示す構成図である。
【００２７】
図１に示すように、掃除機本体１の外部には、車輪３およびキャスター４が取り付けられており、掃除機本体１は床面を自在に移動できる。集塵ケース５上部に設けられた吸引口６には、ホース７、延長管８が順次接続されており、延長管８の先端に吸込具９を取り付けている。
【００２８】
図２に示すように、掃除機本体１内には、電動送風機２１が内蔵され、電動送風機２１の上流側には、通気口を有する隔壁２６を介して集塵ケース５が掃除機本体１に対して着脱自在に設置されている。そして、電動送風機２１を運転することにより、家屋の床面上の塵埃を吸引することができ、集塵ケース５は吸引した塵埃を含む空気が導入されるようになっている。
【００２９】
また、集塵ケース５は、径の異なる複数の中空円筒を多段に連ねた形状からなり、上段から順にケース上部２２ａ、ケース中央部２２ｂ、塵埃収容部２４からなる３段構成である。このケース上部２２ａとケース中央部２２ｂとが塵埃分離部２３を構成し、塵埃分離部２３には円筒状の濾過フィルター２７を設置している。最下段に在る塵埃収容部２４は、塵埃分離部２３で分離した塵埃を堆積する。ケース上部２２ａの接線方向には吸引口６を備えており、吸引口６は塵埃を含む外部の空気をケース上部２２ａの接線方向に沿ってケース上部２２ａ内部へ導入する。
【００３０】
集塵ケース５は、吸引口６から最下段の塵埃収容部２４まで連通されており、吸引口６から電動送風機２１に至る風路は、集塵ケース５の塵埃分離部２３に設けた開口部２５と掃除機本体１の隔壁２６とを連通させて形成している。
【００３１】
この円筒状の濾過フィルター２７は、粗塵を濾過するための円筒形状の第１の濾過フィルター２７ａと、この第１の濾過フィルターより下流側の外周に設けた細塵を濾過するための円筒形状の第２の濾過フィルター２７ｂとの２層構造になっており、集塵ケース５の吸引口６と電動送風機２１とを連通する主風路（第１の風路）２９ａの途中に配置されている。
【００３２】
また、主風路２９ａは、第１の濾過フィルター２７ａ内から第２の濾過フィルター２７ｂ外周へ至る空間全周にわたって構成している。さらに、塵埃収容部２４の上部周辺部に第３の濾過フィルター２８を設け、塵埃収容部２４から第３の濾過フィルター２８及び第２の濾過フィルター２７ｂを経由して電動送風機２１へと連通する副風路２９ｂを構成している。
【００３３】
次に、図３（ａ）、図３（ｂ）、図３（ｃ）、図３（ｄ）に基づいて、集塵ケース５と円筒状の除塵フィルター２７の詳細について説明する。
【００３４】
図３（ａ）に示すように、集塵ケース５は、縦型の中空円筒を３段に連ねた形状である。図３（ｃ）に示すように、吸引口６は、ケース上部２２ａの円周断面の接線方向から気流が流入するように、ケース上部２２ａの円心から偏心した位置に配置されている。
【００３５】
なお、本実施の形態１では、集塵ケース５を中空円筒状としたが、真円に限定するものではなく、楕円形状、８角形や１０角形などの多角形形状等でもよい。即ち、吸引口６より接線方向から流入した気流が、集塵ケース５の内面に沿って旋回気流を生じさせる形状であれば良い。
【００３６】
また、これと同様に円筒状の除塵フィルター２７は、真円に限定するものではなく、楕円形状や８角形や１０角形などの多角形形状等でもよく、集塵ケース５の内面に沿って発生した旋回気流が、第１の除塵フィルター２７ａ内の円筒中空部で発生し得る形状であれば良い。例えば、吸入口６が中央に位置していても、案内路を用いて旋回気流を発生するように構成しても構わない。
【００３７】
従って、塵埃分離部２３におけるケース上部２２ａ内面に沿って発生した旋回気流ならびに、第１の除塵フィルター２７ａ内の円筒中空部に発生した旋回気流を形成する通路を旋回気流通風路とするものである。
【００３８】
また旋回気流を塵埃収容部２４方向に発生させるよう、吸引口６の配置は、塵埃分離部２３に設けた開口部２５の上端部よりも吸引口６の下端部が上方になるよう配置し、さらに円筒状の除塵フィルター２７の通気部を吸引口６より塵埃収容部２４側に構成されているものである。この様に吸引口６の配置を開口部２５より高くし、除塵フィルター２７の通気部を吸引口６より塵埃収容部２４側に構成することで、吸引口６からケース上部２２ａの接線方向より導入された空気は、開口部２５側の吸引力作用で下方向へ下降しながら水平方向へ旋回する旋回気流を発生する。
【００３９】
集塵ケース５の下部には、吸引した塵埃を堆積する塵埃収容部２４が設けられており、その塵埃収容部２４の底面は、開閉蓋３１となっており、ヒンジ３２を介して開閉蓋３１を開き、塵埃収容部２４内の塵埃を排出できるように構成されている。
【００４０】
図３（ｂ）に示すように、円筒形状の集塵ケース５における吸引口６と塵埃収容部２４の間の内壁には、集塵ケース５と円筒状の除塵フィルター２７の間に除塵フィルター２７の外側全周にわたって空間部３３が形成されており、集塵ケース５内部と電動送風機２１の吸引口がこの空間部３３を介して連通することとなる。さらに、集塵ケース５のケース上部２２ａの内面と第１の除塵フィルター２７ａの内面とは、全体として１つの面となっている。
【００４１】
図３（ｄ）に示すように、円筒状の除塵フィルター２７は、円筒形状の集塵ケース５内部を取り囲むように円筒形状となっている。そして、吸引気流に対して上流側（内側）に位置する第１の除塵フィルター２７ａは、吸引気流中の塵埃から綿埃、毛髪などの比較的サイズの大きい塵埃（粗塵）を除塵するものである。第１の除塵フィルター２７ａの下流側（外側）に位置する第２の除塵フィルター２７ｂは、粒子径の細かい砂塵、花粉、ダニ糞などの塵埃（細塵）を気流中から除塵するものである。
【００４２】
第１の除塵フィルター２７ａは、孔径が１００〜３００ミクロンの微小な通気孔３０をエッチング加工により形成した板状の金属フィルターを円筒状に曲げ加工し、曲げ加工の合わせ目、および上端および下端の枠を樹脂で一体に成型したものである。
【００４３】
第２の除塵フィルター２７ｂは、不織布、パルプ、ガラス繊維、ＨＥＰＡフィルターな
どを用いることができる。この実施の形態１では、塵離れ性に優れたＰＴＦＥ膜を不織布に積層したフィルターをプリーツ加工し、ひだ折りした形状部材を連結して円筒状に設置させ、合わせ目、および上端および下端の枠を樹脂で一体に成形したものである。
【００４４】
そして、図４に示すように、第２の除塵フィルター２７ｂを構成するプリーツ形状のフィルター４１は、吸引気流の上流側にあたるプリーツ形状部材の内面のくぼみ部４２は略Ｕ字形状にＲ＝２〜５ｍｍ程度の丸みを持たせているが、プリーツ形状のフィルター４１の第１の除塵フィルター２７ａと近接する側のひだには、特にくぼみ部分は持たせてない。
【００４５】
また、第２の除塵フィルター２７ｂであるひだ折り形状のフィルター４１の外部は、この上端および下端の数ｍｍ範囲のみ、樹脂やシール剤等でシールされているシール部４３を設け、上下方向からの通気性を遮断している。
【００４６】
次に、２次気流を旋回気流通風路内に導入する構成について説明する。
【００４７】
図５（ａ）、図５（ｂ）に示すように、上ケース２２ａの円筒部６１の外周部分に複数の外気導入口６２を設けており、これにより外気と上ケース２２ａ内を連通する。複数の外気導入口６２は、吸込口６部分を避けて円筒部６１の周方向に等分して配置されており、その口径は約１〜３ｍｍΦに設定されている。外気導入口６２の口径をあまり大きくすると、主たる吸引経路側に加わる吸引圧が減ってしまい、旋回気流風路内に導かれた空気流の旋回性が損なわれるため、このような範囲の口径に設定している。
【００４８】
そして、第１の除塵フィルター２７ａと第２の除塵フィルター２７ｂとの間にバイパス管６３を配置し、一端を外気導入口６２に連結させている。第１の除塵フィルター２７ａの下流側フィルター面には、配管をＤカットしたＤカット配管６４の切口部６５を接合させ、Ｄカット配管６４の下端を閉じ、Ｄカット配管６４の上端をバイパス管６３の他端と連結させている。このＤカット配管６４は、第１の除塵フィルター２７ａのフィルター面の上端から下端に渡って設けられ、外気導入口６２と１対１の状態で、第１の除塵フィルター２７ａの周方向に等分に配置されている。この外気導入口６２、バイパス管６３およびＤカット配管６４によって２次気流導入路６６を形成している。
【００４９】
以上のように構成された本実施の形態１の電気掃除機について、図６（ａ）、図６（ｂ）、図６（ｃ）を基に、含塵空気から塵埃を分離し集塵する動作について説明する。
【００５０】
電動送風機２１が運転開始すると、吸引気流を発生し、吸込具９、延長管８、ホース７を通じて、床面からの塵埃は吸引気流とともに集塵ケース５内に吸い込まれる。このとき、集塵ケース５の吸引口６は、円筒断面に対して接線方向に偏心して設置されているため、図６（ａ）に示すように、吸引口６より流入した気流は、集塵ケース５の円筒断面の接線方向から侵入し旋回気流に変化する。
【００５１】
また発生した旋回気流を塵埃収容部２４の方向に発生させるよう、除塵フィルター２７の通気部を吸引口６より塵埃収容部２４側に構成するものであり、本実施の形態１では、吸引口６の下端は開口部２５の上端よりも上部に配置されている。そのため、吸引口６から流入する気流は旋回成分を持つとともに、下方向への成分も持つこととなる。そして、集塵ケース５のケース上部２２ａで発生した旋回気流は、旋回しながら下降し、円筒状の除塵フィルター２７付近に到達する。一部の空気は図６（ｂ）に示すように、第１の除塵フィルター２７ａ、第２の除塵フィルター２７ｂを順次通過し、空間部３３を通って、電動送風機２１に吸引される。
【００５２】
吸引気流と一緒に吸引された塵埃は、気流の流れと共に旋回しながら円筒状の除塵フィルター２７に導かれ、この塵埃の内、髪の毛・糸ゴミなどの粗塵５１は、第１の除塵フィルター２７ａで濾し取られ、砂塵などの細塵５２は、第１の除塵フィルター２７ａを通過し、外側の第２の除塵フィルター２７ｂで濾し取られる。
【００５３】
図７に示すように、本実施形態１では、旋回気流通風路内に加わる吸引圧によって、外気導入口６２より空気が流入し、第１の除塵フィルター２７ａの通気孔を通し、旋回気流通風路内に侵入してくる。この侵入する空気流量は、主の塵埃を含んだ空気流量に比べて数％程度しかないため、メインの旋回気流の流れを阻害することはなく、第１の除塵フィルター２７ａ面の吸引圧によって旋回気流に含まれた塵埃がフィルター表面側に引き寄せられても、２次気流によって旋回方向に押し出す方向に向きを変えられるため、結果、除塵フィルター表面への塵埃付着を抑制することにつながる。
【００５４】
また、図８に示すように、２次気流導入路６６の切口部６５は第１の除塵フィルターの上端近傍から下端近傍までのほぼフィルター高さ方向に渡って２次気流が導入されると同時に、第１の除塵フィルターの周方向に等分して配置しているため、吸引口６から塵埃収容室２４に向かって旋回する流入気流と、塵埃収容室２４から上方に向かって旋回する舞上り気流が確実にこの２次気流を横切ることになり、第１の除塵フィルター表面への塵埃吸着を防止することができる。
【００５５】
（第２の実施の形態）
次に、実施の形態２おける集塵ケースについて、図９及び図１０を参照しながら詳細に説明する。図９（ａ）は実施の形態２の集塵ケースの構成を示す上方矢視図、図９（ｂ）は図９（ａ）のＡ−Ａ断面図、図１０は図９（ｂ）におけるＢ−Ｂ断面図である。なお、上述した実施の形態１と重複する構成については、同一符号を記載し説明を省略する。
【００５６】
図１０に示すように、吸込口６に連通する配管の吸込口前付近に分岐導入口１０１を設けて、分岐導入管９１に連通させ、この分岐導入管９１はさらにバイパス管６３へと連通させている。そして、実施の形態１と同様、第１の除塵フィルター２７ａの下流側表面に取り付けたＤカット配管６４の一端にバイパス管６３を連結させて、吸引口６付近から迂回して旋回気流風路内へと流入させる２次気流導入路６６を形成している。
【００５７】
以上のように構成すると、旋回気流通風路内に加わる吸引圧によって、吸引口６付近に設けた分岐導入口１０１より、吸引気流の一部が分岐して流入し、分岐導入管９１→バイパス管６３→Ｄカット配管６４→切口部６５→第１の除塵フィルター２７ａの通気孔を通して、旋回気流通風路内に侵入してくる。分岐導入口１０１付近で吸込口６に向かって流れるメインの空気量と、分岐導入口１０１へ分岐する空気量とを比べると、分岐導入口１０１に流れる空気量は格段に少ないため、旋回気流通風路内を旋回気流の流れを阻害することなく、図７のように、旋回方向からやや旋回中心寄りの２次気流が噴出する。
【００５８】
そして、実施の形態１と同様、第１の除塵フィルター２７ａ面の吸引圧に旋回気流に含まれた塵埃が引き寄せられても、２次気流によって旋回方向に押し出す方向に向きを変えられるため、結果、除塵フィルター表面への塵埃付着を抑制させることにつながる。
【００５９】
また、本実施の形態２では、２次気流を吸込口前付近の配管より吸引流量の一部を分岐して流入させているため、２次気流を外気より取り込む場合と比べて、吸込み仕事率の低下を抑えることができる。
【００６０】
（第３の実施の形態）
次に、実施の形態３おける集塵ケースについて、図１１及び図１２を参照しながら詳細
に説明する。図１１は同集塵ケースの断面図、図１２は同集塵ケースの旋回気流の状態を示す模式化した要部斜視図である。なお、上述した実施の形態１と同一の構成については、同一符号を記載し説明を省略する。
【００６１】
図１１に示すように、第１の除塵フィルター２７ａの下流側表面に取り付けたＤカット配管６４は、塵埃収容部２４から旋回気流通路内の塵埃分離部２３に向かって斜め上方に旋回上昇する舞い上がり気流（実線）がちょうど塵埃収容部２４から塵埃分離部２３へ侵入する付近に配置しており、さらに、２次気流が塵埃収容部２４と塵埃分離部２３の境界付近から旋回気流通路内に噴出するように、Ｄカット配管６４の切口部６５を第１の除塵フィルターの下流側表面に取り付けた２次気流導入路６６を構成している。
【００６２】
以上の構成により、塵埃収容部２４から旋回気流通路内の塵埃分離部２３に向かって斜め上方に旋回上昇する舞い上がり気流に幾らか塵埃乗旋回気流通路内へと舞い上がってくるのに対し、その舞い上がる塵埃に向かって旋回気流通路の中心方向へと押し出すように２次気流を衝突させる。
【００６３】
そのため、舞い上がり気流に乗った塵埃は、塵埃分離部の第１の除塵フィルター２７ａ表面に沿って旋回上昇せず（図１１中の破線で示した気流）、第１の除塵フィルター表面から離れて旋回気流通路の中心方向に向かう斜め方向の旋回上昇気流に旋回角度を変えられ、その内側に寄せられたことで、吸込口６から流入した空気流が旋回気流通路から下方の塵埃収容部２４に向かって旋回しながら下降する旋回下降気流と直ちに合流し、そのまま旋回下降気流に乗って塵埃は旋回下降することになる。
【００６４】
その結果、塵埃収容部２４から舞い上がり気流に乗った塵埃が塵埃分離部２３内にまで舞い上がることを防ぐことができ、塵埃分離部２３内の第１の除塵フィルター２７ａ表面に塵埃が付着することによるフィルターの目詰まりを防止して、吸引力が低下することを防止できる。
【００６５】
（第４の実施の形態）
次に、実施の形態４おける集塵ケースについて、図１３を参照しながら詳細に説明する。図１３は、同集塵ケースの旋回気流の状態を示す模式化した要部斜視図である。なお、上述した実施の形態と重複する構成については、同一符号を記載し説明を省略する。
【００６６】
図に示すように、集塵ケース５の上ケース２２ａの天面部分に２次気流導入ノズル１３１を配置し、この２次気流導入ノズル１３１から旋回気流通路内の吸引圧によって外気が鉛直下方に噴出する。また、この２次気流導入ノズル１３１は、吸引口から流入した空気流が旋回気流通路内から塵埃収容部２４に向かって旋回して下降する流入気流が、塵埃分離部２３から塵埃収容部２４へと侵入する付近に相対する位置に配置しいている。そして２気流導入ノズル１３１の導入口径は１〜３ｍｍφであり、２次気流導入ノズル１３１を並列に数個配置している。
【００６７】
以上の構成により、旋回気流通路内では、吸引口６から流入した空気流が旋回気流通路内から塵埃収容部２４に向かって旋回して下降する流入気流があり、その後、塵埃収容部２４内では、塵埃収容部２４内を旋回し続ける気流と塵埃収容部２４内から塵埃分離部内に向かって旋回して上昇する舞上り気流とに分かれる。そして、舞上り気流は吸込口６からの流入気流に合流し、そのまま旋回下降する流入気流に流れが切り替わることになり、２次気流導入ノズル１３１によって、塵埃収容部２４から塵埃分離部２３に向かって旋回上昇する気流の塵埃分離部２３への侵入点が図に示すようにズレることになる。
【００６８】
それによって、塵埃分離部２３内へ塵埃収容室２４から舞い上がる気流が旋回下降する
流入気流と直ちに合流し、そのまま流入気流に乗って塵埃はまた旋回下降することになる。その結果、塵埃収容部２４から舞い上がり気流に乗った塵埃が塵埃分離部２３内にまで舞い上がることを防げるため、塵埃分離部２３内の第１の除塵フィルター表面２７ａに塵埃が付着することによる目詰まりを防止して、吸引力が低下することを防止できる。
【産業上の利用可能性】
【００６９】
以上のように、本発明にかかる電気掃除機は、高い吸込み仕事率を確保しながら、かつ塵埃を吸引しても吸込力が低下しにくい電気掃除機を提供できるので、除塵フィルターの清掃や塵埃の排出などのメンテナンス作業を大きく軽減することができ、家庭用電気掃除機だけでなく、業務用電気掃除機など様々な種類の掃除機に使用することが可能となる。
【符号の説明】
【００７０】
５  集塵ケース
６  吸込口
２１  電動送風機
２３  塵埃分離部
２４  塵埃収容部
２７  除塵フィルター
６２  外気導入口
６３  バイパス管
６６  ２次気流導入路
１０１  分岐導入口
１３１  ２次気流導入ノズル
【図１】
2011050620.tif 000003
【図２】
2011050620.tif 000004
【図３】
2011050620.tif 000005
【図４】
2011050620.tif 000006
【図５】
2011050620.tif 000007
【図６】
2011050620.tif 000008
【図７】
2011050620.tif 000009
【図８】
2011050620.tif 000010
【図９】
2011050620.tif 000011
【図１０】
2011050620.tif 000012
【図１１】
2011050620.tif 000013
【図１２】
2011050620.tif 000014
【図１３】
2011050620.tif 000015